(57)【要約】【課題】    引手を障子の框内に出没可能にし、かつ、この出没操作に連動して障子の錠を解除あるいは施錠することができるとともに、防犯性能も向上できる引き戸を提供すること。【解決手段】把手１１の動作に連動して錠装置２０の鎌錠２２によって解錠または施錠が行われるため、操作性を向上できる。さらに、施錠時は把手１１が戸先框８Ａ内に没しているため、引違い窓１の外観をシンプルにでき、意匠性を向上できる。また、解錠時は把手１１が戸先框８Ａから引き出されているので、障子の開閉操作がし易くなり、利き手の違いの影響も軽減でき、操作性を向上できる。トリガー２４と錠作動部材２３のガイド溝２３Ａとによって構成された移動規制手段を備えているので、障子５Ａを閉めるまでは把手１１を戸先框８Ａ内に押し込むことはできないため、把手１１を持って障子を開閉する際に安定して操作できる。【選択図】  図４
2006125179.tif 000002
【特許請求の範囲】
【請求項１】
枠および枠内をスライド移動可能に設けられた障子とを備える引き戸であって、
前記障子の框には、
框に対して障子のスライド方向に出没可能に設けられた把手と、
前記框内に配置され、かつ前記把手の出没動作に連動して框の長手方向に進退移動可能に設けられた連動部材と、
この連動部材の進退移動に連動して移動され、かつ前記把手が框内に押し込まれた状態では前記枠に形成された錠受部に係合して施錠状態とされ、前記把手が框から引き出された状態では前記枠に形成された錠受部から外れて解錠状態とされる錠部材と、
前記把手が設けられた框が枠から離れた状態では、把手を框から引き出された状態に維持し、框内に押し込み不能に規制し、かつ、前記把手が設けられた框が枠に当接した状態では、把手を框に対して出没可能にする移動規制手段とが設けられた引き戸。
【請求項２】
前記錠部材は、框に対して回動自在に軸支され、かつこの回動軸から偏心した位置で前記連動部材に軸支され、連動部材の進退駆動に連動して框内に収納された状態および框内から突出して枠の錠受部に係合した状態に回動される鎌錠で構成されている請求項１に記載の引き戸。
【請求項３】
前記移動規制手段は、框の枠当接面から出没可能に設けられかつガイドピンを有するトリガーと、このトリガーを框から突出する方向に付勢する付勢手段と、前記連動部材に形成されて前記トリガーのガイドピンが配置されるガイド溝とを備えて構成され、
前記ガイド溝は、前記トリガーが突出された状態にある際に前記ガイドピンが係合して前記連動部材が移動不能にされる係止溝部と、前記トリガーが枠に当接して框内に押し込まれた状態にある際に前記ガイドピンが配置されて前記連動部材が移動可能にされる長溝部とで構成されている請求項１または請求項２に記載の引き戸。
【請求項４】
前記連動部材を進退操作可能なスイッチが設けられている請求項１から請求項３のいずれかに記載の引き戸。
【請求項５】
前記把手を出没方向に交差した両側から挟む位置には、一対の弾性部材が設けられ、この弾性部材には凸部または凹部が形成され、
前記把手には、框内に押し込まれた状態および框から最も突出した状態の際に前記弾性部材の凸部または凹部に係合する凹部または凸部が形成されている請求項１から請求項４のいずれかに記載の引き戸。
【請求項６】
前記框から引き出された状態の把手を框内に押し込み不能に規制するロック手段が設けられている請求項１から請求項５のいずれかに記載の引き戸。
【請求項７】
前記ロック手段は、前記連動部材の進退移動を規制するロック部材を有して構成され、このロック部材は、前記連動部材に係合可能な係合部と室内側から操作可能に設けられた規制解除部とを有して形成され、前記係合部が前記連動部材に係合する方向に付勢されて前記框に対して回動自在に支持されるとともに、前記規制解除部の操作により前記係合部の係合が解除可能に構成されている請求項６に記載の引き戸。
【発明の詳細な説明】
【技術分野】
【０００１】
本発明は、片引き戸や三枚引き戸等の窓やドア部分に設けられる引き戸に関する。
【背景技術】
【０００２】
片引き戸や三枚引き戸等の各種引き戸において、障子を開閉するための引手としては、従来、障子の框部分に凹部を形成した掘込み型の引手や、固定ハンドル式の引手が用いられていた。
しかし、掘込み型の引手は、障子の室内面に形成すると框部分に形成された凹部が室内などに露出して意匠性が低下するという問題がある。また、掘込み型の引手を障子の室内面に直交する側面に形成すると、その開口の向きによって左手または右手のいずれかでは操作し難くなり、操作性が低下するという問題がある。
また、固定ハンドル式の引手も、障子の框からガラス面に突出して形成され、意匠性が低下するという問題がある。
【０００３】
これに対し、揺動開閉構造のドアにおいて、ドアを開閉操作する把手をドア体に出没可能に構成した出没式ドア把手装置が知られている（特許文献１参照）。
特許文献１では、ドア体の表面に出没される把手本体を設け、この把手本体の出没操作に伴い、ドア体の周囲側縁部から出没してドア開口部周囲枠の係合凹所に係合するロック機構をドア体内に設けている。そして、ロック機構は、把手本体の出没によって伸縮する伸縮手段と、この伸縮手段に連結されたスライドロッドと、スライドロッドの先端に連繋され、前記係合凹所に係合するドアラッチとを備えている。
【０００４】
この出没式ドア把手装置は、把手本体をドア体から引き出すと、スライドロッドを介してドアラッチをドア体内に没入させ、ドアラッチと係合凹所との係合が解除され、ドア体を開くことができる。
一方、把手本体をドア体内に押し込むと、スライドロッドを介してドアラッチがドア体から突出し、係合凹所に係合してドア体がロックされる。但し、ドアラッチはバネによってスライドロッドに対してスライド可能に設けられているから、ドア体を開いた状態で把手本体をドア体内に押し込んでドアラッチがドア体から突出し、ドア体を閉めた際にドアラッチがドア開口部周囲枠に摺接しても、ドアラッチの案内傾斜面によってドアラッチがラッチ収納部内に押し込まれてドア体を閉めることができるように構成されている。
【０００５】
【特許文献１】特開平５−９８８５３号公報
【発明の開示】
【発明が解決しようとする課題】
【０００６】
しかしながら、前記特許文献１に記載の出没式ドア把手装置では、ドアラッチはスライドロッドに対してスライド可能になっているため、把手をドア本体内に押し込んでも、必ずしも、ドアラッチが係合凹所内に係合されていないおそれがあった。例えば、係合凹部が何らかの部材で塞がれていた場合、把手をドア本体内に押し込んでドアラッチを係合凹部内に係合させたと思っていても、ドアラッチがスライドロッドに対してスライドしており、係合凹部内に係合していない状態が生じるおそれがあった。
このため、把手がドア本体内に押し込まれているためドアがロックされていると誤認するおそれがあり、この点で、防犯性能があまり高くないという問題があった。
【０００７】
本発明の目的は、引手を障子の框内に出没可能にし、かつ、この出没操作に連動して障子の錠を解除あるいは施錠することができるとともに、防犯性能も向上できる引き戸を提
供することにある。
【課題を解決するための手段】
【０００８】
本発明の引き戸は、枠および枠内をスライド移動可能に設けられた障子とを備える引き戸であって、前記障子の框には、框に対して障子のスライド方向に出没可能に設けられた把手と、前記框内に配置され、かつ前記把手の出没動作に連動して框の長手方向に進退移動可能に設けられた連動部材と、この連動部材の進退移動に連動して移動され、かつ前記把手が框内に押し込まれた状態では前記枠に形成された錠受部に係合して施錠状態とされ、前記把手が框から引き出された状態では前記枠に形成された錠受部から外れて解錠状態とされる錠部材と、前記把手が設けられた框が枠から離れた状態では、把手を框から引き出された状態に維持し、框内に押し込み不能に規制し、かつ、前記把手が設けられた框が枠に当接した状態では、把手を框に対して出没可能にする移動規制手段とが設けられたことを特徴とする。
【０００９】
このような構成によれば、把手の動作に連動して解錠または施錠が行われるため、操作性を向上できる。さらに、施錠時は把手が框内に没しているため、引き戸の外観をシンプルにでき、意匠性を向上できる。また、解錠時は把手が框から引き出されているので、障子の開閉操作がし易くなり、利き手の違いの影響も軽減でき、操作性を向上できる。
その上、移動規制手段を備えているので、障子を閉めるまでは把手を框内に押し込むことはできないため、把手を持って障子を開閉する際に安定して操作できる。
また、障子が閉められた際つまり框が枠に当接した状態で初めて把手を押し込んで施錠できるので、框が枠に当接する前に錠部材が框から突出することがなく、錠部材が枠に当接することもない。従って、特許文献１のように、錠部材を連動部材に対してスライド移動可能に設けて枠に当接した場合に錠部材を逃がすような構成を採用する必要が無い。このため、把手は、施錠時は必ず框内に押し込まれ、解錠時は必ず框から突出されることになる。このため、把手の位置によって解錠状態であるか施錠状態であるかを確認でき、防犯性能も向上できる。
【００１０】
本発明においては、前記錠部材は、框に対して回動自在に軸支され、かつこの回動軸から偏心した位置で前記連動部材に軸支され、連動部材の進退駆動に連動して框内に収納された状態および框内から突出して枠の錠受部に係合した状態に回動される鎌錠で構成されていることが好ましい。
錠部材としては、横方向にスライドする障子であれば、障子の上側または下側に出没して上枠や下枠に係合するデッドボルト式の錠部材を用いてもよいが、この場合、把手と錠部材とが離れるため、連動部材の長さ寸法が長くなり、開閉操作にある程度の力が必要になると共に、上下のいずれか一方のみで係合させると、障子が傾きやすくバランスが悪くなる。
これに対し、本発明のように、鎌錠を用いれば、把手の近傍に配置できて連動部材もコンパクトに形成でき、開閉操作も比較的小さな力で行え、かつ鎌錠の配置箇所が１カ所であっても障子が傾くことがなく、バランスよく施錠できる。
【００１１】
本発明においては、前記移動規制手段は、框の枠当接面から出没可能に設けられかつガイドピンを有するトリガーと、このトリガーを框から突出する方向に付勢する付勢手段と、前記連動部材に形成されて前記トリガーのガイドピンが配置されるガイド溝とを備えて構成され、前記ガイド溝は、前記トリガーが突出された状態にある際に前記ガイドピンが係合して前記連動部材が移動不能にされる係止溝部と、前記トリガーが枠に当接して框内に押し込まれた状態にある際に前記ガイドピンが配置されて前記連動部材が移動可能にされる長溝部とで構成されていることが好ましい。
【００１２】
このような移動規制手段を備えていれば、トリガーが枠に当接し、付勢手段の付勢力に抗して框内に没入した場合のみ連動部材が移動可能とされるため、把手の出没操作および施錠・解錠操作が可能になる。従って、障子が開いており、その框が枠から離れている場合には、付勢手段によってトリガーが框から突出され、把手が框から突出された状態で連動部材は移動不能に維持される。すなわち、ガイドピン付のトリガーと、バネ等の付勢手段と、連動部材に形成されたガイド溝のみで移動規制手段を構成できるので、移動規制手段を簡単な構造で構成でき、コストも低減できる。
【００１３】
本発明の引き戸には、前記連動部材を進退操作可能なスイッチが設けられていることが好ましい。
連動部材を進退操作可能なスイッチを備えていれば、把手が框内に没入されている際に前記スイッチで連動部材を移動することで把手を框から突出させることができる。このため、把手自体を掴んで框から引き出す必要が無く、把手の引き出し操作を簡単にでき、意匠性を向上できる。すなわち、把手自体を掴んで引き出す場合には、把手に框から突出する部分を設けたり、框の一部を凹ませて把手を掴むことができるように構成する必要がある。このため、引き出し操作を簡単にするためには、突出部や凹部を大きくして把手を掴みやすくしなければならないが、その分、框表面に凹凸が生じ、意匠が低下する。これに対し、本発明では、別のスイッチで連動部材を進退させることで把手を框から突出させることができるので、把手部分を掴んで引き出す必要が無く、前記突出部や凹部を形成する必要がないので外観意匠を向上できる。
【００１４】
本発明において、前記把手を出没方向に交差した両側から挟む位置には、一対の弾性部材が設けられ、この弾性部材には凸部または凹部が形成され、前記把手には、框内に押し込まれた状態および框から最も突出した状態の際に前記弾性部材の凸部または凹部に係合する凹部または凸部が形成されていることが好ましい。
このような構成によれば、把手は少なくとも框内に押し込まれた状態および最も突出した状態の２つの位置で前記一対の弾性部材に係合するため、把手をその２つの位置で安定して保持できるとともに、弾性部材の力が把手に加わるためにガタを抑えることができる。
【００１５】
本発明において、前記框から引き出された状態の把手を框内に押し込み不能に規制するロック手段が設けられていることが好ましい。
このような構成によれば、障子を閉じる際に框が枠に当接して移動規制手段の規制が外れても、ロック手段で規制されているため把手が框内に押し込み不能となり、このロック手段の規制を外すことで把手が框内に押し込み可能となる。従って、把手を操作して障子を閉じる際の勢いのままで把手を框内に押し込んでしまうことがなく、把手と框との間に指等を挟んでしまうことが防止できる。さらに、障子を閉じた後に、利用者が施錠する意図を持ってロック手段の規制を外すとともに、把手を框内に押し込むことで障子を施錠することができるので、意図せずに把手を框内に押し込んで障子を施錠してしまうことがなく、頻繁に障子を開け閉めする場合に煩わしさを感じたり、子供等を屋外に閉めだしてしまったりなどという不都合が防止できる。
【００１６】
この際、前記ロック手段は、前記連動部材の進退移動を規制するロック部材を有して構成され、このロック部材は、前記連動部材に係合可能な係合部と室内側から操作可能に設けられた規制解除部とを有して形成され、前記係合部が前記連動部材に係合する方向に付勢されて前記框に対して回動自在に支持されるとともに、前記規制解除部の操作により前記係合部の係合が解除可能に構成されていることが好ましい。
このような構成によれば、係合部が連動部材に係合する方向にロック部材が付勢されているので、把手が框から引き出された状態において、自動的に係合部が連動部材に係合するようにでき、利用者がロック操作しなくても確実かつ容易に把手の移動規制を実行することができる。また、規制解除部の操作により係合部の係合を外して把手の移動規制を解除することで、この状態で把手を框内に押し込めば障子を施錠することができる。
【発明を実施するための最良の形態】
【００１７】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１８】
〔第１実施形態〕
以下、本発明の第１実施形態に係る引き戸としての３枚連動式の引違い窓１について、図１〜図１２に基づいて説明する。
図１は、本実施形態の引違い窓１を示す横断面図である。図２は、引違い窓１における縦枠および障子を断面して示す斜視図である。なお、本発明のサッシ窓は、３枚の障子を有する引違い窓１に限らず、通常の引違い窓や片引き窓等であってもよい。
【００１９】
図１において、引違い窓１は、テラスやバルコニーなどの出入り可能な窓に設けられ、窓枠１Ａと、この窓枠１Ａの内側に開閉自在に支持された障子５とを備えて構成されている。
窓枠１Ａは、図示しない上枠および下枠と、左右の縦枠４とを四周枠組みして構成される。本実施形態では、各枠は、室外側および室内側の各アルミ押出形材を断熱材で連結した断熱枠で構成されているが、その材質や構造は実施形態のものに限定されない。
【００２０】
障子５は、それぞれ図示しない上框および下框と、左右の縦框８とを四周框組みした内部に、ガラスパネル９を嵌め込んで形成されている。３枚設けられた各障子５は、開閉時に互いに連動して開閉する連動式の障子とされている。すなわち、最も室内側の障子５Ａと、中間の障子５Ｂと、室外側の障子５Ｃとで構成されており、室外側の障子５Ｃは、窓枠１Ａに対して移動不能のＦＩＸ障子とされ、障子５Ｂは、障子５Ａの開閉操作に応じて連動して開閉されるように構成されている。
【００２１】
室内側障子５Ａの戸先框８Ａには、図２にも示すように、障子５Ａを開閉操作する際に用いられる引手装置１０が設けられている。
引手装置１０は、戸先框８Ａにおける框内周面８１つまり戸先框８Ａの室内面に直交する２つの側面８１，８２のうち、框内周側の面８１から出没可能な把手１１を備えている。すなわち、把手１１は、障子５のスライド方向に出没可能に設けられており、戸先框８Ａの側面８１から突出した状態の把手１１を手で掴んで図１の右方向に引くことで障子５Ａ，５Ｂを開放することができ、把手１１や戸先框８Ａを図１の左方向に押すことで障子５Ａ，５Ｂを閉じることができるようになっている。そして、障子５Ａ，５Ｂを閉じた状態で把手１１を戸先框８Ａに没入させることで、把手１１が側面８１から出っ張らない障子５Ａの外観が得られるようになっている。
また、戸先框８Ａには、把手１１の出没に連動する錠装置２０（後述）が設けられており、この錠装置２０によって障子５が施錠または解錠されるようになっている。
【００２２】
次に、引手装置１０および錠装置２０について、図３〜図７も参照して詳しく説明する。
図３および図４は、それぞれ引手装置１０および錠装置２０を示す縦断面図であり、障子５Ａの戸先框８Ａを断面した図である。図５は、引手装置１０を示す横断面図であり、図３の矢視Ｖ−Ｖ線断面図である。図６および図７は、それぞれ引手装置１０を断面して示す斜視図である。
引手装置１０は、戸先框８Ａの側面８１に形成された装着孔８１Ａに装着され、この装着孔８１Ａに嵌る外装体１２と、この外装体１２に固定されて戸先框８Ａ内部に挿入されるケース体１３と、このケース体１３の内側に設けられるスライド体１４と、このスライド体１４の上端部に連結されたスイッチ１５とを有して構成されている。
【００２３】
引手装置１０の外装体１２は、金属製または樹脂製の部材であって、戸先框８Ａの室内側および室外側の側面から螺合されるビス等によって戸先框８Ａに固定されている。そして、外装体１２には、把手１１を出没させるための開口部１２Ａが設けられている。ケース体１３は、外装体１２の開口部１２Ａに向かって開口した断面略コ字形の金属製または樹脂製部材であって、対向した一対のケース体側面部１３Ａと、これらのケース体側面部１３Ａを連結するケース体背面部１３Ｂとを有して形成されている。そして、ケース体背面部１３Ｂと戸先框８Ａの側面８２との間には、熱伝導率の低い樹脂等の材料から形成されたスペーサ１８が介装されている。スライド体１４は、ケース体１３と同様の断面略コ字形に形成されてケース体１３の内部に摺接可能に支持された金属製または樹脂製部材であって、戸先框８Ａの長手方向（上下方向）に進退（スライド）移動可能になっている。そして、スライド体１４は、ケース体側面部１３Ａに沿った一対のスライド体側面部１４Ａと、これらのスライド体側面部１４Ａを連結するスライド体背面部１４Ｂとを有して形成されている。
【００２４】
把手１１は、手で掴むための金属製または樹脂製部材であって、一対のスライド体側面部１４Ａおよび外装体１２の開口部１２Ａに案内され、この開口部１２Ａから出没可能に構成されている。そして、把手１１は、上下に延びて設けられ手で掴んで操作するための操作部１１Ａと、この操作部１１Ａに対向してケース体１３内部側に設けられる案内部１１Ｂと、これらの操作部１１Ａおよび案内部１１Ｂの上下端同士を連結する一対の水平部１１Ｃとを有して形成されている。また、把手１１の上下端における操作部１１Ａの反対側には、水平部１１Ｃよりも上方または下方に突出した一対の当接部１１Ｄが形成され、案内部１１Ｂにおける上端寄りおよび下端寄りの２箇所には、把手１１の出没方向に交差した戸先框８Ａの見込み方向に突出する案内ピン１１Ｅが設けられている。
【００２５】
スライド体１４のスライド体側面部１４Ａにおける把手１１の案内ピン１１Ｅに対応した位置には、案内ピン１１Ｅが挿入される案内溝１４Ｃが設けられている。この案内溝１４Ｃは、スライド体１４の進退方向および把手１１の出没方向に対して傾斜して形成されており、この案内溝１４Ｃに沿って案内ピン１１Ｅが案内されることで、スライド体１４の進退移動と把手１１の出没移動とが連動されるようになっている。また、スライド体側面部１４Ａにおける上端寄りおよび下端寄りの２箇所には、スライド体１４の進退（上下）方向に沿った長孔１４Ｄが形成されており、この長孔１４Ｄには、一対のケース体側面部１３Ａ間に渡って設けられたピン１３Ｃが挿入され、このピン１３Ｃによってスライド体１４が上下方向に案内されるようになっている。
【００２６】
スイッチ１５は、棒状のスイッチ本体１５Ａと、このスイッチ本体１５Ａから外装体１２側に突出したスイッチ操作部１５Ｂと、スイッチ本体１５Ａの上端部に設けられた連結部１５Ｃとを有して形成され、スイッチ本体１５Ａの下端部がスライド体１４の上端部にピン接合されている。外装体１２には、上下に長く形成されてスイッチ操作部１５Ｂを挿通可能な挿通孔１２Ｂが設けられており、室内側からスイッチ操作部１５Ｂを上下に移動操作可能に構成されている。そして、スイッチ操作部１５Ｂを操作することで、スライド体１４が上下に進退移動されるとともに、把手１１が外装体１２から出没移動されるようになっている。
【００２７】
以上のような引手装置１０の把手１１、ケース体１３、スライド体１４、およびスイッチ１５では、図３、６に示すように、スイッチ操作部１５Ｂを下方に操作して把手１１がケース体１３内部に没入された状態において、案内ピン１１Ｅは、スライド体背面部１４Ｂ側の案内溝１４Ｃ端部（一端部）に位置し、スライド体１４は、進退移動可能範囲の下端に位置するようになっている。そして、把手１１が没入された状態では、把手１１の当接部１１Ｄがケース体背面部１３Ｂに当接して、その位置よりも奥側に把手１１が没入せず、操作部１１Ａ側面と外装体１２表面とが略面一に揃えられるようになっている。
【００２８】
一方、図４、７に示すように、スイッチ操作部１５Ｂを上方に操作して把手１１がケース体１３から突出された状態において、案内ピン１１Ｅは、外装体１２側の案内溝１４Ｃ端部（他端部）に位置し、スライド体１４は、進退移動可能範囲の上端に位置するようになっている。そして、把手１１が突出された状態では、把手１１の当接部１１Ｄが外装体１２の開口部１２Ａ上下端縁に当接して、その位置よりも外側に把手１１が突出せず、操作部１１Ａを引くことで障子５Ａを開放操作できるようになっている。
【００２９】
次に、錠装置２０は、図３、４に示すように、戸先框８Ａの縦枠４側の側面８２に装着された錠ケース２１と、この錠ケース２１内に回動自在に軸支された錠部材としての鎌錠２２と、この鎌錠２２に連結されかつ錠ケース２１内に進退可能に支持された錠作動部材２３と、錠作動部材２３に一端（基端）側が係合されかつ他端（先端）側が戸先框８Ａの側面８２から出没可能に設けられたトリガー２４とを備えて構成されている。錠作動部材２３は、錠ケース２１内に戸先框８Ａの長手方向（上下方向）に進退可能に支持されている。そして、錠作動部材２３の下端部には、連結部材２５がピン結合されており、この連結部材２５の下端部に設けた連結ピン２５Ａにスイッチ１５の連結部１５Ｃが結合されている。このような連結部材２５で連結することで、錠装置２０の錠作動部材２３と引手装置１０のスライド体１４およびスイッチ１５とが連動して進退移動するようになっている。
以上のように、引手装置１０のスライド体１４およびスイッチ１５と、錠装置２０の連結部材２５および錠作動部材２３とによって、本発明の連動部材が構成されている。
【００３０】
錠装置２０の鎌錠２２は、軸支ピン２２Ａによって錠ケース２１に軸支されるとともに、軸支ピン２２Ａと偏心した位置の連結ピン２２Ｂで錠作動部材２３に軸支（ピン結合）され、錠作動部材２３の進退移動に伴って回動するようになっている。そして、鎌錠２２は、回動軸である軸支ピン２２Ａ回りに回動し、図３に示すように、縦枠４に設けられた錠受穴４Ａの錠受部４Ｂに係合した施錠状態と、図４に示すように、錠受部４Ｂから外れて錠ケース２１内に収納された解錠状態とが切り換えられる。すなわち、前述のように、把手１１がケース体１３内部に没入された状態において、錠作動部材２３によって鎌錠２２の連結ピン２２Ｂ側が下方に引き下げられ、鎌錠２２が回動して錠受部４Ｂに係合した施錠状態となる。一方、把手１１がケース体１３から突出された状態において、錠作動部材２３によって鎌錠２２の連結ピン２２Ｂ側が上方に押し上げられ、鎌錠２２が錠受部４Ｂから外れた解錠状態となる。
【００３１】
錠作動部材２３には、トリガー２４の一端側に設けられたガイドピン２４Ａと係合するガイド溝２３Ａが設けられている。このガイド溝２３Ａは、錠作動部材２３の進退移動方向に沿った長溝部２３Ｂと、この長溝部２３Ｂ下端からトリガー２４の先端側に折れ曲がった係止溝部２３Ｃとを有して略Ｌ字形に形成されている。一方、トリガー２４には、当該トリガー２４を戸先框８Ａの側面８２から突出する方向に付勢する付勢手段としてのばね部材２４Ｂが設けられている。従って、錠作動部材２３が上方に移動された解錠状態（図４）において、ばね部材２４Ｂにより付勢されたトリガー２４が戸先框８Ａの側面８２から突出し、ガイドピン２４Ａがガイド溝２３Ａの係止溝部２３Ｃに位置することになる。この状態では、ガイドピン２４Ａが係止溝部２３Ｃに係合することで、錠作動部材２３が下方に移動不能になり、これにより引手装置１０のスライド体１４およびスイッチ１５が進退移動不能になり、把手１１がケース体１３から突出された状態を維持することとなる。
【００３２】
一方、障子５Ａが閉じられてトリガー２４の先端が縦枠４に当接し、ばね部材２４Ｂの付勢力に抗してトリガー２４が戸先框８Ａ内に押し込まれた状態（図３）において、ガイドピン２４Ａがガイド溝２３Ａの長溝部２３Ｂに位置することになる。この状態では、ガイドピン２４Ａが係止溝部２３Ｃから外れることで、錠作動部材２３が下方に移動可能になり、これにより引手装置１０のスライド体１４およびスイッチ１５が進退移動可能になる。従って、把手１１をケース体１３内に押し込んでスライド体１４およびスイッチ１５を下方に移動させることで、連結部材２５および錠作動部材２３を介して鎌錠２２を回動させて錠受部４Ｂに係合させる施錠状態とすることができるようになっている。このような施錠状態は、スイッチ１５を上方に操作して鎌錠２２を錠受部４Ｂから外すまで維持される。
以上のように、ガイドピン２４Ａおよびばね部材２４Ｂを有したトリガー２４と、ガイド溝２３Ａを有した錠作動部材２３とによって、本発明の移動規制手段が構成されている。
【００３３】
なお、以上のような引手装置１０の各部において、図８〜図１２に示す構成を採用することができる。
図８および図９は、それぞれ本実施形態の引手装置１０における把手１１の変形例を示す断面図および斜視図であり、把手１１の位置決め手段を示す図である。図１０は、把手１１の変形例を示す断面図であり、図８、９と異なる把手１１の位置決め手段を示す図である。図１１は、把手１１の変形例を示す側面図であり、把手１１の音鳴り防止手段を示す図である。図１２は、把手１１の変形例を示す分解斜視図であり、把手１１のガタ防止手段を示す図である。
【００３４】
図８、９において、把手１１の操作部１１Ａおよび案内部１１Ｂの側面には、把手１１の突没方向に交差した方向に突出する凸部１１Ｆが形成されている。また、把手１１の凸部１１Ｆに対応したケース体１３のケース体側面部１３Ａには、把手１１を挟んで配置され、かつ把手１１に向かって付勢された一対の弾性部材である板ばね１６が設けられている。この板ばね１６には、把手１１の凸部１１Ｆに係合する凹部１６Ａが形成されている。そして、把手１１がケース体１３内に押し込まれた状態において、操作部１１Ａの凸部１１Ｆと板ばね１６の凹部１６Ａとが係合することで、この位置で把手１１が保持されるようになっている。また、把手１１がケース体１３から最も突出した状態において、案内
部１１Ｂの凸部１１Ｆと板ばね１６の凹部１６Ａとが係合することで、この位置で把手１１が保持されるようになっている。以上のように、把手１１の凸部１１Ｆと板ばね１６の凹部１６Ａとによって把手１１の位置決め手段が構成されている。
【００３５】
また、把手１１の位置決め手段としては、図１０に示す構成が採用できる。すなわち、把手１１の操作部１１Ａおよび案内部１１Ｂの側面に把手１１の突没方向に交差した方向に凹んだ凹部１１Ｇを形成し、この凹部１１Ｇに対応した位置の板ばね１６に凸部１６Ｂを形成し、これらの凹部１１Ｇおよび凸部１６Ｂが係合するような構成でもよい。
【００３６】
図１１において、把手１１の当接部１１Ｄの両面には、音鳴り防止手段である緩衝材１７が設けられている。すなわち、把手１１をケース体１３内に押し込んだ状態でケース体背面部１３Ｂに当接する当接部１１Ｄの面と、および把手１１をケース体１３から最も突出させた状態で外装体１２の開口部１２Ａ上下端縁に当接する当接部１１Ｄの面とに、緩衝材１７が設けられている。この緩衝材１７は、例えば、スポンジや軟質ゴム等の衝撃を吸収可能な材料から形成されており、これにより、把手１１を出没移動させた際に、把手１１とケース体１３や外装体１２とがぶつかっても、音鳴りを防止することができる。
【００３７】
図１２において、把手１１の案内部１１Ｂの側面には、複数の切欠き溝１１Ｈが形成され、把手１１の水平部１１Ｃおよび当接部１１Ｄの交差部分には、一対の突起１１Ｉが形成されている。また、外装体１２の開口部１２Ａにおける切欠き溝１１Ｈに対応した位置には、突起１２Ｃが形成され、突起１１Ｉに対応した位置には、一対の凹み１２Ｄが形成されている。そして、把手１１がケース体１３から最も突出した状態において、案内部１１Ｂの切欠き溝１１Ｈと外装体１２の突起１２Ｃとが係合し、一対の突起１１Ｉと凹み１２Ｄとが係合することで、この位置における把手１１のガタが防止されるようになっている。以上のように、把手１１の切欠き溝１１Ｈおよび突起１１Ｉと外装体１２の突起１２Ｃおよび凹み１２Ｄとによって把手１１のガタ防止手段が構成されている。
【００３８】
このような本実施形態によれば、以下のような効果がある。
（１）すなわち、把手１１の動作に連動して錠装置２０の鎌錠２２によって解錠または施錠が行われるため、操作性を向上できる。さらに、施錠時は把手１１が戸先框８Ａ内に没しているため、引違い窓１の外観をシンプルにでき、意匠性を向上できる。また、解錠時は把手１１が戸先框８Ａから引き出されているので、障子５の開閉操作がし易くなり、利き手の違いの影響も軽減でき、操作性を向上できる。
【００３９】
（２）さらに、トリガー２４と錠作動部材２３のガイド溝２３Ａとによって構成された移動規制手段を備えているので、障子５Ａを閉めるまでは把手１１を戸先框８Ａ内に押し込むことはできないため、把手１１を持って障子５Ａを開閉する際に安定して操作できる。
【００４０】
（３）また、障子５Ａが閉じられた際つまりトリガー２４が戸先框８Ａに没入した状態で初めて把手１１を押し込んで施錠できるので、トリガー２４が戸先框８Ａに没入する前に鎌錠２２が戸先框８Ａから突出することがなく、鎌錠２２が縦枠４に当接することもない。従って、従来の出没式ドア把手装置のように、錠部材を連動部材に対してスライド移動可能に設けて枠に当接した場合に錠部材を逃がすような構成を採用する必要が無い。このため、把手１１は、施錠時は必ず戸先框８Ａ内に押し込まれ、解錠時は必ず戸先框８Ａから突出されることになる。このため、把手１１の位置によって解錠状態であるか施錠状態であるかを確認でき、防犯性能も向上できる。
【００４１】
（４）さらに、トリガー２４が縦枠４に当接し、ばね部材２４Ｂの付勢力に抗して戸先框８Ａ内に没入した場合のみ錠作動部材２３が移動可能とされるため、把手１１の出没操作および施錠・解錠操作が可能になる。従って、障子５Ａが開いており、その戸先框８Ａが縦枠４から離れている場合には、ばね部材２４Ｂによってトリガー２４が戸先框８Ａから突出され、把手１１が戸先框８Ａから突出された状態で錠作動部材２３は移動不能に維持される。すなわち、ガイドピン２４Ａ付のトリガー２４と、ばね部材２４Ｂと、錠作動部材２３に形成されたガイド溝２３Ａのみで移動規制手段を構成できるので、移動規制手段を簡単な構造で構成でき、コストも低減できる。
【００４２】
（５）また、錠装置２０において、錠作動部材２３に連動して回動する鎌錠２２を用いたので、従来のドア把手装置と比較して、鎌錠２２が把手１１の近傍に配置できて錠作動部材２３もコンパクトに形成でき、開閉操作も比較的小さな力で行え、かつ鎌錠２２の配置箇所が１カ所であっても障子５Ａが傾くことがなく、バランスよく施錠できる。
【００４３】
（６）また、スライド体１４および錠作動部材２３を進退操作可能なスイッチ１５が設けられているので、把手１１が戸先框８Ａ内に没入されている際にスイッチ１５でスライド体１４を移動することで把手１１を框から突出させるとともに、錠作動部材２３をスライドさせることで鎌錠２２を錠受部４Ｂから外すことができる。このため、把手１１自体を掴んで戸先框８Ａから引き出す必要が無く、把手１１の引き出し操作を簡単にでき、意匠性を向上できる。
【００４４】
（７）また、ケース体１３と戸先框８Ａとの間にスペーサ１８が介装されているので、室温よりも外気温が低くなって戸先框８Ａが冷やされた場合でも、引手装置１０の把手１１や外装体１２、ケース体１３の温度低下を抑えて、これらの各部における結露の発生を防止することができる。
【００４５】
（８）さらに、図８、９または図１０に示すような把手１１の位置決め手段を用いることで、把手１１は少なくとも戸先框８Ａ内に押し込まれた状態および最も突出した状態の２つの位置で板ばね１６に係合するため、把手１１をその２つの位置で安定して保持できるとともに、板ばね１６の力が把手１１に加わるためにガタを抑えることができる。
【００４６】
（９）また、図１１に示すような緩衝材１７を把手１１の当接部１１Ｄに設けることで、把手１１を出没操作した際のケース体１３や外装体１２との衝突音を防止することができる。
【００４７】
（10）さらに、図１２に示すような把手１１のガタ防止手段を用いることで、把手１１が戸先框８Ａから最も突出した状態において、把手１１のガタを防止することができる。
【００４８】
〔第２実施形態〕
以下、本発明の第２実施形態に係る引手装置１０Ａについて、図１３〜図１９に基づいて説明する。
図１３および図１４は、それぞれ本実施形態の引手装置１０Ａおよび錠装置２０を示す縦断面図である。図１５は、引手装置１０Ａの一部を拡大して示す断面図である。図１６は、引手装置１０Ａを断面して示す斜視図である。図１７および図１８は、引手装置１０Ａの一部を示す分解斜視図である。図１９(Ａ)，(Ｂ)は、引手装置１０Ａの一部を示す断面図である。
【００４９】
本実施形態の引手装置１０Ａは、前記第１実施形態の引手装置１０と略同様の把手１１、外装体１２、ケース体１３、スライド体１４、およびスイッチ１５を有し、把手１１を戸先框８Ａ内に押し込み不能に規制するロック手段であるロック部１９が追加されている。また、本実施形態において、錠装置２０の構成は、第１実施形態と略同様である。
なお、第１実施形態では、スライド体１４と錠装置２０の連結部材２５とを連結してスイッチ１５が設けられていたが、本実施形態の引手装置１０Ａにおいては、スイッチ１５が戸先框８Ａに取り付けられており、連結部材２５がスライド体１４に連結されている。そして、スイッチ１５は、上下にスライド自在に支持されたスイッチ本体１５Ａを有し、このスイッチ本体１５Ａから延びる突出部１５Ｄが連結部材２５の凹部２５Ｂに係合され、スイッチ操作部１５Ｂの操作により連結部材２５、錠作動部材２３およびスライド体１４が上下に進退駆動されるようになっている。すなわち、スイッチ本体１５Ａを上方にスライド操作することで、錠作動部材２３を介して鎌錠２２が解錠状態に移動されるとともに、スライド体１４を介して把手１１がケース体１３から突出されるようになっている。
【００５０】
引手装置１０Ａのロック部１９は、図１５、図１６に示すように、外装体１２に回動自在に支持されたロック部材１９１と、このロック部材１９１を軸支する回動軸１９２と、この回動軸１９２の回りに設けられてロック部材１９１を付勢するねじりコイルばね１９３とを有して構成されている。ロック部材１９１は、連結部材２５に形成された非係合部２５Ｃに係合可能な係合部１９１Ａと、この係合部１９１Ａの回動軸１９２を挟んで反対側に室内側から操作可能に設けられた規制解除部である操作部１９１Ｂとを有して形成されている。そして、ロック部材１９１は、ねじりコイルばね１９３の付勢力によって、係合部１９１Ａが連結部材２５に向かって回動する方向（図１５に矢印で示す方向）、つまり操作部１９１Ｂが室内側に突出する方向に付勢されている。
【００５１】
以上のロック部１９では、スイッチ１５により連結部材２５が上方にスライド移動され、連結部材２５の非係合部２５Ｃがロック部材１９１の係合部１９１Ａ位置まで移動された場合に、ねじりコイルばね１９３で付勢されたロック部材１９１が回動して係合部１９１Ａが非係合部２５Ｃに係合する。これにより、連結部材２５のスライド移動が規制される、つまり連結部材２５に連結された錠作動部材２３およびスライド体１４の移動が規制される。従って、鎌錠２２が解錠状態に維持されるとともに、把手１１が突出された状態に維持されるようになっている。
【００５２】
一方、ロック部材１９１の操作部１９１Ｂをねじりコイルばね１９３の付勢力に抗してケース体１３内方に押し込むと、ロック部材１９１が回動されて係合部１９１Ａと非係合部２５Ｃとの係合が外れ、連結部材２５、錠作動部材２３およびスライド体１４のスライド移動の規制が解除される。従って、障子５Ａを閉じてトリガー２４が戸先框８Ａ内に没入した状態において、操作部１９１Ｂを押して、把手１１をケース体１３内方に押し込めば、スライド体１４、連結部材２５、および錠作動部材２３を介して鎌錠２２が施錠方向に回動されて障子５Ａが施錠されるようになっている。
なお、本実施形態のスライド体１４に形成された案内溝１４Ｃは、そのスライド方向に対する傾斜角度が途中で切り替えられており、鎌錠２２が施錠方向に回動される把手１１の押し込み後半において、スライド体１４のスライド量が大きくなるように形成されている。すなわち、鎌錠２２の回動後半における回動量を大きくして、鎌錠２２と錠受部４Ｂ（図３）とが確実に係合されるようになっている。
【００５３】
また、本実施形態の引手装置１０Ａにおいて、把手１１には、図１７に示すように、スライド体１４の内面に沿って摺動する摺動部材１１１が設けられている。摺動部材１１１は、断面略コ字形に形成された樹脂製の部材であって、把手１１における案内ピン１１Ｅを挿通させる２箇所の挿通部１１Ｊを挟んで取り付けられ、これらを貫通する案内ピン１１Ｅにより把手１１に固定されている。そして、摺動部材１１１は、その外形幅寸法が把手１１の幅寸法よりも若干大きく形成されており、摺動部材１１１がスライド体１４内面に摺動し把手１１とスライド体１４との接触を防止することで、把手１１の出没操作時における音なりや摩耗が防止できるようになっている。
【００５４】
さらに、ケース体１３の開口側端縁には、図１８、図１９に示すように、把手１１の幅寸法と略同一の間隔で対向した一対の案内部材１３１が複数組（３組）設けられている。これらの案内部材１３１は、断面略コ字形に形成された樹脂製のピース材であって、ケース体１３の開口側端縁に形成された切り欠き部１３Ｄに嵌められ、外装体１２で係止されることで取り付けられている。そして、図１９(Ａ)に示すように、把手１１をケース体１３内に押し込んだ際に、把手１１の操作部１１Ａが一対の案内部材１３１に挟まれることで、施錠時における把手１１のガタが防止できるようになっている。また、図１９(Ｂ)に示すように、把手１１をケース体１３から突出させた際に、把手１１の案内部１１Ｂが一対の案内部材１３１に挟まれることで、障子５Ａの開閉操作時における把手１１のガタや傷が防止できるようになっている。
【００５５】
このような本実施形態によれば、前記(１)〜(６)の効果に加えて以下のような効果がある。
（11）すなわち、ケース体１３から突出させた際に把手１１がロック部１９でロックされるので、把手１１を操作して障子５Ａを閉じる際の勢いのままで把手１１をケース体１３内に押し込んでしまうことがなく、把手１１と戸先框８Ａとの間に指等を挟んでしまうことが防止できる。さらに、障子５Ａを閉じた後に、利用者が施錠する意図を持ってロック部１９のロックを外すとともに、把手１１をケース体１３内に押し込むことで障子５Ａが施錠できるので、意図せずに施錠してしまうことが防止できる。
【００５６】
（12）また、ロック部材１９１がねじりコイルばね１９３に付勢されているので、スイッチ１５により把手１１を突出させれば、自動的に係合部１９１Ａが連結部材２５の非係合部２５Ｃに係合するようにでき、利用者がロック操作しなくても確実かつ容易に把手１１をロックすることができる。また、ロック部材１９１の操作部１９１Ｂを押し込むだけの操作で係合部１９１Ａの係合を外して把手１１のロックを解除することができ、この状態で把手１１をケース体１３内に押し込めば障子５Ａを施錠することができる。
【００５７】
なお、本発明は、前記各実施形態に限定されるものではなく、本発明の目的を達成できる他の構成等を含み、以下に示すような変形等も本発明に含まれる。
例えば、前記実施形態では、３枚連動式の引違い窓１における最も室内側の障子５Ａの戸先框８Ａに引手装置１０および錠装置２０が設けられていたが、引き戸が室内外一対の障子を備えた引違い窓である場合には、室内外の各障子の戸先框に引手装置１０および錠装置２０を設けてもよい。
【００５８】
また、前記実施形態では、錠装置２０の鎌錠２２を回動移動させる錠作動部材２３にガイド溝２３Ａを形成した、つまり錠作動部材２３を連動部材として機能させたが、これに限らず、引手装置１０のスライド体１４やスイッチ１５、連結部材２５等を連動部材として機能させてもよい。すなわち、連動部材としては、把手１１の出没移動と連動して框の長手方向に進退移動する部材であればよく、これらの部材に、前記ガイド溝２３Ａと同様の溝等を形成し、前記トリガー２４と同様の部材によって移動規制手段を構成してもよい。
【００５９】
また、前記実施形態では、スイッチ１５を上方に操作することにより把手１１を突出移動させるとともに、把手１１をケース体１３内に押し込むことによりスライド体１４およびスイッチ１５を下方に移動させ、これらの操作に連動して鎌錠２２を回動移動させるように構成したが、スイッチとしては他の構成が採用できる。例えば、スライド体１４や錠作動部材２３に連結されたスイッチ本体と、このスイッチ本体の移動を規制しかつ框から出没自在に設けられたプッシュボタンと、スイッチ本体を把手１１が框から突出する方向に付勢するばね部材とを有してスイッチが構成されてもよい。このような構成では、把手１１を框に押し込んだ状態で、スイッチ本体にプッシュボタンが係合してスイッチ本体の移動が規制されるとともに、ばね部材に機械的エネルギが蓄積される。そして、プッシュボタンを押し込むことで、スイッチ本体の規制が解除され、ばね部材の機械的エネルギによってスイッチ本体が移動され、スイッチ本体に連動して把手１１が框から飛び出すようにすることができる。
【００６０】
また、前記第２実施形態では、連動部材のうちの連結部材２５の非係合部２５Ｃにロック部１９のロック部材１９１を係合させることで、把手１１を戸先框８Ａ内に押し込み不能に規制したが、このような構成に限られない。すなわち、戸先框８Ａから引き出された把手１１自体やスライド体１４にロック部１９が係合することで、把手１１を押し込み不能に規制してもよい。ただし、第２実施形態のように、把手１１の上側における外装体１２に支持されたロック部材１９１を有してロック部１９を構成し、連結部材２５のスライド体１４側端部近傍に係合させることで、把手１１を持ったままでロック部１９の操作部１９１Ｂを操作することができ、操作性を良好にすることができる。
【００６１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６２】
【図１】本発明の第１実施形態に係る引き戸を示す横断面図である。
【図２】前記引き戸における縦枠および障子を断面して示す斜視図である。
【図３】前記引き戸に設けられた引手装置および錠装置を示す縦断面図である。
【図４】前記引き戸に設けられた引手装置および錠装置を示す縦断面図である。
【図５】前引手装置を示す横断面図であり、図３の矢視Ｖ−Ｖ線断面図である。
【図６】前記引手装置を断面して示す斜視図である。
【図７】前記引手装置を断面して示す斜視図である。
【図８】前記引手装置における把手の変形例を示す断面図である。
【図９】前記引手装置における把手の変形例を示す斜視図である。
【図１０】図８、９とは異なる前記把手の変形例を示す断面図である。
【図１１】図８〜１０とは異なる前記把手の変形例を示す側面図である。
【図１２】図８〜１１とは異なる前記把手の変形例を示す分解斜視図である。
【図１３】本発明の第２実施形態に係る引手装置および錠装置を示す縦断面図である。
【図１４】前記引手装置および錠装置を示す縦断面図である。
【図１５】前記引手装置の一部を拡大して示す断面図である。
【図１６】前記引手装置を断面して示す斜視図である。
【図１７】前記引手装置の一部を示す分解斜視図である。
【図１８】前記引手装置の一部を示す分解斜視図である。
【図１９】(Ａ)，(Ｂ)は、前記引手装置の一部を示す断面図である。
【符号の説明】
【００６３】
１…引き戸である引違い窓、１Ａ…窓枠、４…縦枠、４Ｂ…錠受部、５，５Ａ，５Ｂ，５Ｃ…障子、８Ａ…戸先框、１１…把手、１１Ｆ…凸部、１１Ｇ…凹部、１５…スイッチ、１６…弾性部材である板ばね、１６Ａ…凹部、１６Ｂ…凸部、１９…ロック手段であるロック部、２２…錠部材である鎌錠、２３…錠作動部材、２３Ａ…ガイド溝、２３Ｂ…長溝部、２３Ｃ…係止溝部、２４…トリガー、２４Ａ…ガイドピン、２４Ｂ…付勢手段であるばね部材、１９１…ロック部材、１９１Ａ…係合部、１９１Ｂ…規制解除部である操作部。
【図１】
2006125179.tif 000003
【図２】
2006125179.tif 000004
【図３】
2006125179.tif 000005
【図４】
2006125179.tif 000006
【図５】
2006125179.tif 000007
【図６】
2006125179.tif 000008
【図７】
2006125179.tif 000009
【図８】
2006125179.tif 000010
【図９】
2006125179.tif 000011
【図１０】
2006125179.tif 000012
【図１１】
2006125179.tif 000013
【図１２】
2006125179.tif 000014
【図１３】
2006125179.tif 000015
【図１４】
2006125179.tif 000016
【図１５】
2006125179.tif 000017
【図１６】
2006125179.tif 000018
【図１７】
2006125179.tif 000019
【図１８】
2006125179.tif 000020
【図１９】
2006125179.tif 000021